(57)【要約】【課題】  弾撥性鋼材の弾撥力を利用して、強い力で歯列等を押圧することにより早期に前歯・奥歯等の整列・平坦化及び矯正を行うことを目的とする。また傾斜した歯を直立状態にすることを目的とする。【解決手段】  左右対称に植立する上下顎の少なくとも犬歯・小臼歯・大臼歯のいずれか一以上を内側から外側へ向け矯正する一本の弾撥性鋼材１０及び押圧部２からなる歯列矯正具において、該一本の弾撥性鋼材１０はその略中央に把持部１を有し、当該把持部１の両端より後方へ向って屈曲し、該弾撥性鋼材１０の両端には矯正される歯列に密接するための押圧部２が形成されたことを特徴とする歯列矯正具である。【選択図】    図２
2006280689.tif 000002
【特許請求の範囲】
【請求項１】
上下顎で左右対称に植立する少なくとも犬歯・小臼歯・大臼歯のいずれか一以上を内側から外側へ向け矯正する一本の弾撥性鋼材及び押圧部からなる歯列矯正具において、該一本の弾撥性鋼材はその略中央に把持部を有し、当該把持部の両端より後方へ向って屈曲し、該弾撥性鋼材の両端には矯正される歯列に密接される押圧部が形成されたことを特徴とする歯列矯正具。
【請求項２】
上下顎で左右対称に植立する少なくとも犬歯・小臼歯・大臼歯のいずれか一以上を外側から内側へ向け矯正する一本の弾撥性鋼材及び押圧部を引張る牽引部からなる歯列矯正具において、該一本の弾撥性鋼材はその略中央に把持部を有し、当該把持部の両端より後方へ向って屈曲し、該弾撥性鋼材の両端には牽引部が係止され、該牽引部が互いに遠方にある矯正される歯列の外側に密接される押圧部に係止されていることを特徴とする歯列矯正具。
【請求項３】
前記弾撥性鋼材の把持部の両端と押圧部又は牽引部が係止された箇所との間に歯列を迂回するための屈曲部を形成したことを特徴とする請求項１又は２に記載された歯列矯正具。
【請求項４】
前歯を前方から後方へ向け矯正する一本の弾撥性鋼材、押圧部、該押圧部をワイヤを介して固着する第一ベース部材及び第二ベース部材からなる歯列矯正具において、該一本の弾撥性鋼材はその略中央に把持部が形成され、当該把持部の両端より後方へ向って押圧部を避けて屈曲し、第一ベース部材を貫通し、第一ベース部材と離間して後方に位置する第二ベース部材に挿入され、かつ該一本の弾撥性鋼材は二箇所に鍔を有し、第一ベース部材内には該鍔を係止する止め部が形成され、また少なくとも第二ベース部材には奥歯に掛け渡すためのクラスプが形成されていることを特徴とする歯列矯正具。
【発明の詳細な説明】
【技術分野】
【０００１】
本発明は、弾撥性鋼材の弾撥力を利用して上下顎の少なくとも犬歯・小臼歯・大臼歯のいずれか一以上の整列・平坦化及び矯正を行う歯列矯正具に関する。
【背景技術】
【０００２】
上下顎の犬歯・小臼歯・大臼歯の整列・平坦化及び矯正を行う歯列矯正具としては種々のものが知られている。例えば、複数のワイヤの一部を合成樹脂で覆った２つの部材をエキスパンションスクリューなどを介して接合した歯列矯正具が知られている。この歯列矯正具は、ワイヤを左右対称の奥歯又は歯列に巻き付けた後、エキスパンションスクリューによって２つの部材の間隔を調節することにより、歯列矯正を行っていた。すなわち左右対称に植立する犬歯・小臼歯・大臼歯を内側から外側へ向け矯正するためには、ワイヤを左右の奥歯等に巻き付けた後、２つの部材の間隔が開くようにネジ等でエキスパンションスクリューを拡開する。他方、左右対称に植立する歯列を外側から内側へ向け矯正するためには、ワイヤを左右の奥歯等に巻き付けた後、２つの部材の間隔が狭くなるようにネジ等でエキスパンションスクリューを狭閉する。エキスパンションスクリューは、一般的に一回の拡開又は狭閉において２００μｍづつ動かしている。
【０００３】
このような矯正方法は、２つの合成樹脂の間にエキスパンションスクリューを形成する必要があり、さらにワイヤと歯列の位置を調整する必要もあり、製造に相当の技術が必要とされている。またエキスパンションスクリューによって拡開又は狭閉するため、歯列を押圧する力が２０〜７０ｇ程度と弱く、２〜３週間で８ｍｍ程度歯列が動く程度であった。また奥歯等が傾斜している場合は、傾斜したままの状態で歯列矯正を行う必要があり、傾斜している歯を整列させることは難しかった。
さらに他の歯列矯正具としては、特許文献１〜５に記載されたものが挙げられる。
【０００４】
【特許文献１】特開２００５−７０２８
【特許文献２】特開２００４−６５８１４
【特許文献３】特開２００３−２０４９７３
【特許文献４】特開２００２−１７７２９９
【特許文献５】特開２００１−１６１７１５
【発明の開示】
【発明が解決しようとする課題】
【０００５】
本発明は、弾撥性鋼材の弾撥力を利用して、強い力で歯列等を押圧することにより早期に前歯・奥歯等の整列・平坦化及び矯正を行うことを目的とする。また傾斜した歯が直立する方向に押圧を加えることができる歯列矯正具を提供することを目的とする。
【課題を解決するための手段】
【０００６】
本発明は、上記の課題を解決するために以下の構成を採用した。
（１）上下顎で左右対称に植立する少なくとも犬歯・小臼歯・大臼歯のいずれか一以上を内側から外側へ向け矯正する一本の弾撥性鋼材及び押圧部からなる歯列矯正具において、該一本の弾撥性鋼材はその略中央に把持部を有し、当該把持部の両端より後方へ向って屈曲し、該弾撥性鋼材の両端には矯正される歯列に密接される押圧部が形成されたことを特徴とする歯列矯正具である。
【０００７】
（２）上下顎で左右対称に植立する少なくとも犬歯・小臼歯・大臼歯のいずれか一以上を外側から内側へ向け矯正する一本の弾撥性鋼材及び押圧部を引張る牽引部からなる歯列矯正具において、該一本の弾撥性鋼材はその略中央に把持部を有し、当該把持部の両端より後方へ向って屈曲し、該弾撥性鋼材の両端には牽引部が係止され、該牽引部が互いに遠方にある矯正される歯列の外側に密接される押圧部に係止されていることを特徴とする歯列矯正具である。
【０００８】
（３）前記弾撥性鋼材の把持部の両端と押圧部又は牽引部が係止された箇所との間に歯列を迂回するための屈曲部を形成したことを特徴とする上記（１）又は（２）に記載された歯列矯正具である。
【０００９】
（４）前歯を前方から後方へ向け矯正する一本の弾撥性鋼材、押圧部、該押圧部をワイヤを介して固着する第一ベース部材及び第二ベース部材からなる歯列矯正具において、該一本の弾撥性鋼材はその略中央に把持部が形成され、当該把持部の両端より後方へ向って押圧部を避けて屈曲し、第一ベース部材を貫通し、第一ベース部材と離間して後方に位置する第二ベース部材に挿入され、かつ該一本の弾撥性鋼材は二箇所に鍔を有し、第一ベース部材内には該鍔を係止する止め部が形成され、また少なくとも第二ベース部材には奥歯に掛け渡すためのクラスプが形成されていることを特徴とする歯列矯正具である。
【発明の効果】
【００１０】
本発明は、弾撥性鋼材の弾撥力を利用して、強い力で歯列等を押圧することにより早期に前歯・奥歯等の整列・平坦化及び矯正を行うことができる。
また本発明に係る歯列矯正具を使用することにより、傾斜した歯が直立する方向に押圧を加えることができるという効果を奏する。
【発明を実施するための最良の形態】
【００１１】
図１は、本発明の請求項１又は請求項３に係る歯列矯正具の一例を示す斜視図である。
図１に示すように本実施形態に係る歯列矯正具１０は、一本の弾撥性鋼材の略中央を把持部１とし、その把持部１の両端Ｅより後方へ向って屈曲し、前記弾撥性鋼材の両端には図示しない歯列等に密接するための押圧部２，２が形成されている。また屈曲部５は歯列を迂回するために上方に屈曲している。ここで弾撥性鋼材としては、硬鋼線（ＳＷＣ）、ピアノ線（ＳＷＰ）等の弾撥力が生じるものであれば何れの材料を用いても良い。
【００１２】
押圧部２，２が歯列に接触する歯型部分６，６は、熱硬化型プラスチック樹脂若しくは即時重合レジンで形成されることが好ましい。例えば、６０℃以上の温度をプラスチック材料に加えることにより、プラスチックを溶解し、患者の歯型に押し付けることにより、患者の歯列に適合した形状に加工した後、５０℃以下に冷却することによって硬化させる。このような加工方法によって、歯型部分６，６は、患者の歯列に適合した形状になる。かかる歯型部分６，６を矯正する歯列に被せた後、押圧を加えると歯列をより効果的に矯正することができる。
【００１３】
また歯列に歯列矯正具１０を設置する際には、ワイヤ７を屈曲部５等に引掛けておき、予め押圧部２，２の間隙幅を狭くしておくのが好ましい。ワイヤ７を引掛けた状態で、歯列矯正具１０を所望の歯列に密接させた後、ワイヤ７を外すことにより弾撥力により歯列が押圧される。このように歯列矯正具１０を使用する際には、弾撥力が内側から外側へ働くように押圧部２，２の間隙幅を矯正する歯列同士の間隔よりも狭くしておく必要がある。
【００１４】
図２は、図１に示す歯列矯正具１０を歯列に装着した状態を示す平面図である。
図２に示すように押圧部２，２は、上下顎の犬歯・小臼歯・大臼歯８，８を覆うように嵌着されている。本実施形態に係る歯列矯正具１０を歯列に装着する際、２つの押圧部２，２を狭閉して装着する必要がある。歯列８は、押圧部２，２の下面に形成された歯型部分６，６によって被覆されている。この状態では歯列矯正具１０の弾撥力によって、歯列８，８には常に矢印方向の押圧力が加わることになる。押圧力は弾撥性鋼材の弾撥力に依存するが、１００〜５００ｇの押圧力を加えることも可能である。
【００１５】
歯列は、このような強い押圧力によって内側から外側へ常に押圧されることにより、短時間で内側から外側へ矯正されることになる。また弾撥力は密接する左右の歯列８，８の裏側に押圧力を生じさせることから、押圧部の大きさが同じであれば左右にかかる押圧力は略均等になる。しかし歯列８，８のバランスが左右で異なる場合は、押圧する歯列８，８の数を左右で相違させることにより左右の押圧力を調節することもできる。例えば、左側を３本の歯列に押圧し、右側を２本にすれば、右側の歯列の方が左側の歯列に比較して強い押圧力で押されることになり、結果的に左側より右側の矯正時間が早くなる。
【００１６】
また本実施形態に係る歯列矯正具１０は、歯列８，８を完全に被覆することにより、従来困難であった内側に傾斜した歯を直立状態に整列させることが可能になる。
図３に示すように歯列８，８に挟まれた箇所に内側に傾斜した歯列１２がある場合、歯型部分を歯列１２に嵌着するように加工しておけば、歯列１２のみを押圧することが可能になる。また押圧力は歯列１２の内側全面から矢印方向へかかることから、歯列１２の傾斜を無理なく直立状態に整列させることが可能になる。
【００１７】
図４は、請求項２に係る歯列矯正具２０を歯列に装着した状態を示す平面図である。
図４に示すように本実施形態に係る歯列矯正具２０は、上下顎に左右対称に植立する少なくとも犬歯・小臼歯・大臼歯のいずれか一以上を外側から内側へ向け矯正する一本の弾撥性鋼材及び押圧部３０を引っ張る牽引部（ワイヤ）２９からなるものである。弾撥性鋼材の中央には把持部２１があり、把持部２１の両端Ｅ部より後方に向って屈曲し、ワイヤ係止部３３が形成されている両端部へ連接している。押圧部３０の中央には押圧部３０に固着した円環状の係合部（ストッパ）３１が形成されている。かかるストッパ３１はワイヤ２９の一端を係止する。ワイヤ２９は押圧部３０，３０より相互に遠方にある弾撥性鋼材２１の片端近傍のワイヤ係止部３３に固着される。弾撥性鋼材の対向する端部同士は相互に離間する方向にばね圧が発生している。かかるばね圧によって歯列の外側に密接する押圧部３０には、外側から内側へ向けて押圧が発生する。この押圧によって外側から内側へ歯列が矯正され、歯間の隙間が狭くなると共に、倒れている歯２８を起こすこともできる。
またワイヤ２９，２９同士の交差する箇所はプラスチック片のカバー３２によって被覆されている。これによって交差部に舌等が挟まることはなく、安全に歯列矯正具２０を使用することができる。
【００１８】
図５は、請求項４に係る歯列矯正具５０，５１を歯列に装着した状態を示す平面図である。歯列矯正具５０は上顎用であり、５１は下顎用である。
図５に示すように本実施形態に係る歯列矯正具５０は、上顎の前歯を前方から後方へ向け矯正する押圧部４０、弾撥性鋼材４１、前記押圧部４０をワイヤ４２を介して固着する第一ベース部材４４及び第二ベース部材４５からなる歯列矯正具５０である。前記弾撥性鋼材４１はその略中央に把持部４３が形成され、当該把持部４３の両端より後方へ向って押圧部４０を避けて屈曲し、第一ベース部材４４を貫通し、第一ベース部材４４と離間して後方に位置する第二ベース部材４５に挿入されている。前記弾撥性鋼材４１は二箇所に鍔４８，４８を有し、第一ベース部材４４内には鍔４８，４８を係止する止め部４９，４９が形成されている。また第一ベース部材４４は二箇所にクラスプ５３を有し、かかるクラスプ５３を夫々歯８，８に巻着することにより固定されている。また第二ベース部材４５には奥歯１８，１８に掛け渡すためのクラスプ５４，５４が形成されている。第二ベース部材４５内には、円筒状のレール５６，５６が成形されており、かかるレール５６，５６の内筒に弾撥性鋼材４１の両端が挿入されている。
【００１９】
また歯列矯正具５１は、下顎の前歯を前方から後方へ向け矯正する押圧部４０’、弾撥性鋼材６１、前記押圧部４０’をワイヤ６２を介して固着する第一ベース部材６４及び２つの第二ベース部材６５，６５からなる歯列矯正具５１である。前記弾撥性鋼材６１はその略中央に把持部６３が形成され、当該把持部６３の両端より後方へ向って押圧部４０’を避けて屈曲し、第一ベース部材６４を貫通し、第一ベース部材６４と離間して後方に位置する第二ベース部材６５，６５に挿入される。前記弾撥性鋼材６１は二箇所に鍔６８，６８を有し、第一ベース部材６４内には鍔６８，６８を係止する止め部６９，６９が形成されている。また第一ベース部材６４は二箇所にクラスプ７３を有し、夫々歯８’，８’に巻着することにより固定されている。また第二ベース部材６５，６５には奥歯１８’，１８’に掛け渡すためのクラスプ７４，７４が形成されている。第二ベース部材６５，６５内には、円筒状のレール７６，７６が成形されており、かかるレール７６，７６の内筒に弾撥性鋼材６１の両端が挿入されている。
【００２０】
なお弾撥性鋼材４１，６１は、硬鋼線（ＳＷＣ）、ピアノ線（ＳＷＰ）等によって成形され、押圧部４０，４０’、第一ベース部材４４，６４及び第二ベース部材４５，６５，６５は熱硬化型プラスチック樹脂若しくは即時重合レジンで形成されている。
このような歯列矯正具５０，５１を歯列に装着した状態で、弾撥性鋼材４１，６１の把持部４３，６３を後方に押すことにより、弾撥性鋼材４１，６１に形成された鍔４８，６８が第一ベース部材４４，６４を押圧する。かかる応力によって前歯９，１１が押圧されることにより、弾撥性鋼材４１，６１は後方へ押し込まれる。やがて弾撥性鋼材４１，６１の両端が第二ベース部材４５，６４内のレール５６，７６の底部に達する。かかる押圧によって前方から後方へ前歯が矯正され、歯間の隙間が狭くなると共に、倒れている前歯を起こすことができる。
【図面の簡単な説明】
【００２１】
【図１】本発明の請求項１又は請求項３に係る歯列矯正具の一例を示す斜視図である。
【図２】図１に示す歯列矯正具を狭窄した乃至傾斜した歯列に装着した状態を示す平面図である。
【図３】傾斜した歯列を直立状態にすることを説明する図である。
【図４】請求項２に係る歯列矯正具を拡開した歯列に装着した状態を示す平面図である。
【図５】請求項４に係る歯列矯正具を前方に傾斜等する歯列に装着した状態を示す平面図である。
【符号の説明】
【００２２】
２，３０，４０，４０’  押圧部
８，９，１１，１８  歯列
１０，５０，５１  歯列矯正具
１，２１，４３，６３  把持部
４１，６１  弾撥性鋼材
４８  鍔
【図１】
2006280689.tif 000003
【図２】
2006280689.tif 000004
【図３】
2006280689.tif 000005
【図４】
2006280689.tif 000006
【図５】
2006280689.tif 000007